(57)【要約】   【課題】  軒樋の切断面に段差が生じことなく操作の容易な軒樋切断治具を提供することを目的とする。  【解決手段】  軒樋切断治具１のガイド部材３はガイド部材本体１１と連結材１２で形成される。ガイド部材本体１１は帯状平板材によって前面１１ａ、底面１１ｂ、後面１１ｃが連続して断面凹形状に形成され、ガイド部材本体１１の幅方向の両端部にはガイド部材本体１１から垂直に突起１３が立設される。ガイド部材本体１１の長さ方向の両端部に、軒樋２の前耳部９と後耳部１０をそれぞれ係止する前耳係止部１４と後耳係止部１５が形成される。ガイド部材本体１１の略中央部に設けられるスリット７によりガイド部材本体１１は二分割されているが、この二分割状態のガイド部材本体１１は連結材１２によって一体的に連結される。連結材１２の一端部２０にフック２１が形成される。【選択図】  図２
2008240297.tif 000002
【特許請求の範囲】
【請求項１】
軒樋の前壁と底壁と後壁を帯状に覆って装着されるガイド部材と、電動鋸のベース板に固着されて前記ガイド部材にガイドされる被ガイド部材とから成る軒樋切断治具において、
前記被ガイド部材は前記ベース板を幅方向に挟持する上部材と下部材から成り、下部材は一対の帯状板が一直線状に離れて形成されるとともに互いの対向する一端部に下垂部を備え、この下垂部は前記帯状板と平行且つ直交する長方形板状の被ガイド部に固着され、
前記ガイド部材の表面に沿って前記被ガイド部が移動するとともに、一対の下部材の下面に備える一対のアングル材のフランジ部が前記ガイド部材の両側部にガイドされ、
前記ガイド部材は両側部に前記ガイド部材から直角に突出する一対のガイド用の突起と略中央部に前記電動鋸の回転刃を受入れる長さ方向のスリットを備え、前記ガイド部材の長さ方向の両端部を連結する連結材が設けられ、この連結材の一端部は前記ガイド部材の一端部と回転自在に固着するとともに連結材の他端部は前記ガイド部材の他端部と着脱自在に連結し、前記スリットが前記連結材の両端部の近傍に亘って延設されることを特徴とする軒樋切断治具。
【発明の詳細な説明】
【技術分野】
【０００１】
本発明は、建築物の軒先用の軒樋を長さ調整のため断面切断するための軒樋切断冶具に関し、詳しくは、軒樋の切断作業時に電動回転刃を用いて軒樋の断面を安定して切断する軒樋切断治具に関するものである。
【背景技術】
【０００２】
従来、軒樋の施工現場において建物の軒先長さに対応して軒樋を所定の長さに切断する必要があった。この場合、軒樋が凹形状なので軒樋の開口を上向き状態にして切断すると、軒樋の両端縁耳部が自由端面のため容易に振動して断面切り口がギザギザとなり品質性が劣るという問題があった。
【０００３】
この問題を解決する方法が特許文献１に開示されている。図１０（ａ）、（ｂ）に示すように、特許文献１の軒樋切断治具７０は、軒樋７１が下向き開口状態で載置される支持台７２と、支持台７２の外面に沿って軒樋７１を当接保持する保持片部材７３を備え、支持台７２の両側に壁部８６が立設される。そして、軒樋７１の両端縁耳部７４が係合される耳支持部７５が壁部８６に配設されて、軒樋７１は両耳支持部７５間に支持される。
【０００４】
保持片部材７３には鋸刃が挿入される位置決めスリット７６を形成し、支持台７２の両耳支持部７５には鋸刃が挿入される補助スリット７７が形成される。この位置決めスリット７６の両側縁に沿って鋸刃ガイド片７８が外方へ突設して両鋸刃ガイド片７８間で鋸刃がガイドされる。
【０００５】
保持片部材７３の各部材片７３ａ、７３ｂの一端に形成された軸結合部８０が壁部８６のヒンジ部９０に回動自在に嵌合されることで、保持片部材７３は支持台７２に一体的に軸着される。
【０００６】
また、保持片部材７３の他端の係止部８１が着脱自在に係止される係止受け部８２を壁部８６に設ける。
【０００７】
このように、軒樋７１はその両端縁耳部７４が両耳支持部７５に係合されて支持台７２上に下向き開口となる架設状態で支持されると共に、保持片部材７３が軒樋７１の外面に沿って当接するため、軒樋７１は保持されて保持片部材７３のスリット７６から挿入される鋸刃により軒樋７１を切断することができる。
【特許文献１】特開２００３−１１０９２号公報
【発明の開示】
【発明が解決しようとする課題】
【０００８】
ところが、特許文献１の構成によれば、保持片部材７３を軒樋７１に被せて保持するだけなので軒樋７１は切断時に振動でぶれ易くなり切断面に段差がついたりして仕上がりが不安定であった。このため、軒樋を突合せ施工する場合に合わせ面がずれるので製品品質が低下するという問題があった。
【０００９】
また、保持片部材７３に対して支持台７２が大きい構造体のため、軒樋７１を回転させながら切断する場合には支持台７２を容易に回転操作することができなかった。このため、刃の位置を変えて数回に分けて切り足しすれば切断は可能だが、作業時間が増えるとともに、軒樋の合わせ面がずれて切断面に段差がつき製品価値が損なわれる原因にもなっていた。
【００１０】
そこで、本発明はかかる従来技術の問題に鑑みなされたものであって、軒樋の切断面に段差が生じることがなく操作の容易な軒樋切断治具を提供することを目的とする。
【課題を解決するための手段】
【００１１】
請求項１の発明は、軒樋の前壁と底壁と後壁を帯状に覆って装着されるガイド部材と、電動鋸のベース板に固着されて前記ガイド部材にガイドされる被ガイド部材とから成る軒樋切断治具において、前記被ガイド部材は前記ベース板を幅方向に挟持する上部材と下部材から成り、下部材は一対の帯状板が一直線状に離れて形成されるとともに互いの対向する一端部に下垂部を備え、この下垂部は前記帯状板と平行且つ直交する長方形板状の被ガイド部に固着され、前記ガイド部材の表面に沿って前記被ガイド部が移動するとともに、一対の下部材の下面に備える一対のアングル材のフランジ部が前記ガイド部材の両側部にガイドされ、前記ガイド部材は両側部に前記ガイド部材から直角に突出する一対のガイド用の突起と略中央部に前記電動鋸の回転刃を受入れる長さ方向のスリットを備え、前記ガイド部材の長さ方向の両端部を連結する連結材が設けられ、この連結材の一端部は前記ガイド部材の一端部と回転自在に固着するとともに連結材の他端部は前記ガイド部材の他端部と着脱自在に連結し、前記スリットが前記連結材の両端部の近傍に亘って延設されることを特徴としている。
【発明の効果】
【００１２】
請求項１記載の発明によれば、前記被ガイド部材は前記ベース板を幅方向に挟持する上部材と下部材から成り、下部材は一対の帯状板が一直線状に離れて形成されるとともに互いの対向する一端部に下垂部を備え、この下垂部は前記帯状板と平行且つ直交する長方形板状の被ガイド部に固着される構成なので、前記ガイド部材の表面に沿って前記被ガイド部を容易に移動することができる。
【００１３】
そして、一対の下部材の下面に備える一対のアングル材のフランジ部が前記ガイド部材の両側部にガイドされて前記被ガイド部が軒樋に対して確実に直角に移動するので軒樋を確実且つ容易に段差なく切断することができる。
【００１４】
前記ガイド部材は両側部に前記ガイド部材から直角に突出する一対のガイド用の突起を備えるので、この突起によってフランジ部が安定してガイドされるのでその直進性が確保できて軒樋を確実且つ容易に段差なく切断することができる。
【００１５】
前記ガイド部材の長さ方向の両端部を連結する連結材は一端部が前記ガイド部材の一端部と回転自在に固着するとともに連結材の他端部は前記ガイド部材の他端部と着脱自在に連結する簡単な構造で、前記スリットが前記ガイド部材及び前記連結材の両端部の近傍に亘って延設されるので、前記ガイド部材を容易に回転しながら軒樋を一方向に切ることができるので操作性が向上する。
【発明を実施するための最良の形態】
【００１６】
＜軒樋切断治具の構成＞  
以下に、本発明の実施形態を図１〜図９に基づいて説明する。
【００１７】
図１に示すように、軒樋切断治具１は前壁２ａと底壁２ｂと後壁２ｃから成る断面凹形状の軒樋２を横方向に切断する冶具で、この軒樋２の外周を帯状に覆って装着されるガイド部材３と、電動鋸４のベース板５に固着される被ガイド部材６とで構成される。ここで、ガイド部材３には幅方向の略中央部にスリット７が帯状の長手方向に沿って形成される。
【００１８】
そして、被ガイド部材６がガイド部材３に沿ってガイドされながらベース板５に固着された電動鋸４を移動することによって、ガイド部材３のスリット７に挿入されて突出する電動鋸４の回転刃８によって軒樋２が切断される。
【００１９】
なお、軒樋２の前壁２ａの上端部に前耳部９が、後壁２ｃの上端部には後耳部１０が、それぞれ軒樋２の内部側に突出して形成され、前壁２ａと底壁２ｂとの間に軒樋２の内部側に折れ込んで突出する段部２ｄが形成される。
【００２０】
図２、図３、図４に示すように、ガイド部材３はガイド部材本体１１と連結材１２で形成される。ガイド部材本体１１は軒樋２の前壁２ａ、底壁２ｂ、後壁２ｃのそれぞれ外面に当接するように、帯状平板材によって前面１１ａ、底面１１ｂ、後面１１ｃが連続して断面凹形状に形成される。なお、段部２ｄの領域は段部２ｄに沿って当接する段部面１１ｄを別途形成して前面１１ａに連結される。
【００２１】
ガイド部材本体１１の幅方向の両端部にはガイド部材本体１１から垂直にガイド用の突起１３が立設される。この突起１３の外形断面形状は長方形(高さＳ、幅Ｔ)で、軒樋２にガイド部材３を装着した状態で突起１３は軒樋２に対しても直角である。
【００２２】
ガイド部材本体１１の長さ方向の両端部に、軒樋２の前耳部９と後耳部１０をそれぞれ係止する前耳係止部１４と後耳係止部１５がガイド部材本体１１から略直角に軒樋２の内部に向けて形成される。
【００２３】
ここで、上記、ガイド部材本体１１の幅方向の略中央部に電動鋸４の回転刃８を挿入して突出するスリット７が形成されるので、ガイド部材本体１１は二分割されているが、この二分割状態のガイド部材本体１１は連結材１２を介して一体的に連結される。
【００２４】
より詳しくは、連結材１２の一端部２０（軒樋２の前壁２ａ側）に形成される二組のフック２１と着脱自在に係止するために、前耳係止部１４には二組の丸棒状の係止部１９を備える。また、連結材１２の他端部２２に備える二組の（一対から成る）第一ヒンジ部２３と回転自在に連結するために、後耳係止部１５には二組の円筒状の第二ヒンジ部２４を備える。
【００２５】
第一ヒンジ部２３に第二ヒンジ部２４が挟まれた状態で第一ヒンジ部と第二ヒンジ部が丸棒状のヒンジ棒２３ａで連結される。フック２１を離脱することで矢印Ｑに示すように連結材１２は開くので軒樋２をガイド部材３に容易に挿入することができる。
【００２６】
連結材１２の一端部２０と他端部２２に設けられるスリット７ａ、７ｂはガイド部材本体１１に設けられたスリット７が同一面内で延長するように連結材１２の一端部２０と他端部２２の近傍に亘って形成される。より詳しくは、スリット７ａ、７ｂの深さＱ１、Ｑ２は電動鋸４の回転刃８の先端部の移動する軌跡２５を含むとともに回転刃８の装着と脱着を容易にするために必要十分な深さを考慮して設定される。
【００２７】
このため、ガイド部材が簡単な構造なのでガイド部材を容易に回転しながら軒樋を一方向に切ることができるので切断面の段差もなく操作性が向上する。
【００２８】
ガイド部材３が軒樋２を覆って装着された状態で、電動鋸４の回転刃８が軒樋２の前壁２ａと底壁２ｂと後壁２ｃを完全に切断した状態でも、軒樋２はガイド部材本体１１ととともに連結材１２を介して一体的に連結状態が保持されているので、切断した軒樋２が不用意に落下しないので作業安全性が向上する。
【００２９】
図５、図６、図７、図８、図９に示すように、被ガイド部材６は上部材３１と下部材３２から成り、電動鋸４のベース板５が上部材３１と下部材３２によって挟持されて一体的に連結される。
【００３０】
電動鋸４が固定されるベース板５は矩形板状で、ベース板５の中心から左右方向に偏った位置で電動鋸４の回転刃８がベース板５を貫通して突出する。
【００３１】
ベース板５の外周部にベース板５の補強のためのフランジが設けられ、ベース板５の前端部近傍の左右のフランジ５ａに上部材３１を挿通する貫通孔３３がそれぞれ形成され、上部材３１を矢印Ｒに示すように挿通する。さらに、ベース板５の上面に一対の貫通孔３３と同一面内で上部材３１を挿通して位置決め固定するための挿通部３４がネジ等の固着具３４ａを備えて形成される。
【００３２】
上部材３１は帯状板で両端部近傍に下部材３２との固定のための孔３１ａがそれぞれ設けられる。
【００３３】
下部材３２は、一対の帯状板３５が一直線状に離れて形成されるとともに対向する帯状板の互いの一端部は下方に直角に折れ曲がり、帯状板３５と平行且つ直交する長方形状の被ガイド体部３６に固着される。被ガイド体部３６は固着された帯状板３５より前方部３６ａが後方部３６ｂよりも長く、前方部３６ａは上方に角度θ１＝２度で傾斜し、後方部３６ｂも上方に角度θ２＝４５度で傾斜して形成される。また、上部材３１と帯状板３５の全長はベース板の幅寸法よりも長く形成される。
【００３４】
帯状板３５の両端部近傍に上部材３１との固定のための孔３５ａがそれぞれ一組設けられる。孔３５ａは上部材３１の孔３１ａを介してネジ等の固着具４０でベース板５と下部材３２は一体的に連結される。
【００３５】
尚、上記、ベース板５の上面に一対の貫通孔３３と同一面内で上部材３１を挿通して位置決め固定するための挿通部３４がネジ等の固着具３４ａを備えて形成されるので、電動鋸４の回転刃８を被ガイド体部３６の略中央部に位置調整して上部材３１を固定することによりベース板５と下部材３２は一体的に連結固定される。
【００３６】
さらに、電動鋸４のベース板５に固着される被ガイド部材６をガイド部材３に沿ってガイドするためのガイド部４５が一対の帯状板３５の下端面に取付けられる。ガイド部４５には帯状板３５への位置決め用の二組のガイド孔４５ａと固着用の二組の孔４５ｂとを備える。ガイド部４５は一対のアングル材がそのフランジ４５ｃを下方に突出して設けられる。
【００３７】
帯状板３５の長手方向の両端部には一対のフランジ３５ｂが上方に突出して形成されるので一対のフランジ３５ｂによって上部材３１を確実に位置決め保持することができる。さらに、帯状板３５の被ガイド体部３６近傍には一対のフランジ３５ｃが下方に突出するのでガイド部４５に設けられた二組のガイド孔４５ａに位置決め挿入される。ガイド部４５の二組の孔４５ｂに対応して二組の孔３５ｄが形成されるので両孔を介して帯状板３５にガイド部４５が固着用のボルト・ナット５０で固着される。
【００３８】
軒樋の材質は、ステンレスや亜鉛メッキをした金属、あるいは軽量化や耐腐食性を考慮して例えば硬質塩化ビニール樹脂等の合成樹脂材料、或いは、金属板の両面に合成樹脂材料を被覆して形成される。ガイド部材と被ガイド部材はステンレスや亜鉛メッキをした金属材が用いられる。
＜軒樋切断治具の作用＞
【００３９】
軒樋２を長手方向の任意位置で切断する際に、軒樋２にガイド部材３を装着し、電動鋸４のベース板５に取付けられる被ガイド部材６のガイド部４５をガイド部材３の両端部の突起１３外側に沿わせて移動することができるので、回転刃８の直進性が確保できて軒樋を確実且つ容易に段差なく切断することができる。
【００４０】
さらに、軒樋２の切断がガイド部材３の幅方向の略中央部で実施されるので、軒樋２の切断面はガイド部材３で囲まれる限定した領域なので切断による自由端部の振動影響をほとんど排除できて段差のない切断面が形成できる。
【００４１】
ガイド部材本体１１の前耳係止部１４と後耳係止部１５によって軒樋２の前耳部９と後耳部１０が確実に係止できるのでガイド部材本体１１は軒樋２に安定して固着することができるため、軒樋２の振動影響をほとんど排除できて安定した段差のない切断面が形成できて製品品質が向上する。
【００４２】
以上、本発明の実施例を図面に基づいて説明したが、具体的な構成はこの実施例に限られるものではなく本発明の要旨を逸脱しない範囲の設計変更等があっても本発明に含まれる。
【００４３】
たとえば、ガイド部材本体１１と連結材１２の連結構造における着脱自在に係止する連結材１２の一端部２０は、軒樋２の前壁２ａ側の代わりに後壁２ｃ側であっても構わない。
【００４４】
ガイド部材本体１１と連結材１２の連結構造は両端部共に着脱自在に係止する構造でもよい。
【図面の簡単な説明】
【００４５】
【図１】本発明の実施形態における、軒樋切断治具を用いて軒樋の切断作業を行なう状態を示す斜視図である。
【図２】本発明の実施形態における、軒樋の前壁と底壁と後壁を覆って装着される帯状のガイド部材の側面図である。
【図３】本発明の実施形態における、図２のＡ−Ａ矢視図である。
【図４】本発明の実施形態における、図２のＢ−Ｂ矢視図である。
【図５】本発明の実施形態における、電動鋸のベース板に固着される被ガイド部材の状態を示す一部分解斜視図である。
【図６】本発明の実施形態における、図５のＣ−Ｃ矢視図である。
【図７】本発明の実施形態における、図５のＤ−Ｄ矢視図である。
【図８】本発明の実施形態における、下部材３２の側面図である。
【図９】本発明の実施形態における、ガイド部４５の下面から見た平面図である。
【図１０】従来のガイド部材の状態を示す、（ａ）は側面図、（ｂ）は正面図である。
【符号の説明】
【００４６】
１  軒樋切断治具
２  軒樋
３  ガイド部材
７  スリット
９  前耳部
１０  後耳部
１１  ガイド部材本体
１１ａ  前面
１１ｂ  底面
１１ｃ  後面
１２  連結材
１３  突起
１４  前耳係止部
１５  後耳係止部
２０  一端部
２１  フック
【図１】
2008240297.tif 000003
【図２】
2008240297.tif 000004
【図３】
2008240297.tif 000005
【図４】
2008240297.tif 000006
【図５】
2008240297.tif 000007
【図６】
2008240297.tif 000008
【図７】
2008240297.tif 000009
【図８】
2008240297.tif 000010
【図９】
2008240297.tif 000011
【図１０】
2008240297.tif 000012